(57)【要約】      （修正有）【課題】駆動源としての電源を必要とせず、手動による操作で簡単に複数種類の液体を混合することができる斬新な方式による液体混合器を提供する。【解決手段】ケーシング８内に大径の流入口３、小径の絞り流路９、室１０及び拡開部１１を下流に向けて順次同軸に連通形成し、室１０に小径の液体流入路１２を半径方向外方から連通させ、拡開部１１は下流に向かって次第に大径となる円錐状に形成し、底面を絞り流路と対面する広い面積の衝突壁１３とし、拡開部１１の底部外周に流出口１４を形成してなる液体混合装置２を設け、大径の流入口３に液体を圧送する手動ポンプの流出口７を連通させる。【選択図】図２
0003201104.tif 000002
【実用新案登録請求の範囲】
【請求項１】
ケーシング内に大径の流入口、小径の絞り流路、室及び拡開部を下流に向けて順次同軸に連通形成し、前記室に小径の液体流入路を半径方向外方から連通させ、前記拡開部は下流に向かって次第に大径となる円錐状に形成し、底面を絞り流路と対面する広い面積の衝突壁とし、前記拡開部の底部外周に流出口を形成してなる液体混合装置を設け、前記大径の流入口に液体を圧送する手動ポンプの流出口を連通させたことを特徴とする液体混合器。
【請求項２】
液体混合装置と手動ポンプとを一体に形成するとともに前記手動ポンプをシリンダーとピストンとからなるものとした請求項１に記載の液体混合器。
【請求項３】
シリンダーの外周に液体混合器本体を沈める位置を示すための目印を設けた請求項２に記載の液体混合器。
【請求項４】
液体が飲食用液体である請求項１〜３のいずれか１項に記載の液体混合器。
【考案の詳細な説明】
【技術分野】
【０００１】
本考案は、手動による操作で簡単に複数種類の液体を混合することができる液体混合器に関する。
【背景技術】
【０００２】
従来、一般家庭において、複数種の液体を混合するには、容器内に混合する複数の液体をそれぞれ注ぎ、マドラー、スプーン等でかき混ぜて混合するのが一般的である。また、シェイカーによる混合方法もあり、例えば、特許文献１には、アルコール等の液体飲料を収容可能な主容器と、ライム等の混合材料が収容された混合材料収納容器を収納した蓋体とから構成されたシェイカー形態の撹拌容器セットが開示されている。さらに、手動操作によって粉末又は顆粒状飲料を液体飲料に容易に溶解させることができる家庭用の飲料混合容器もある（特許文献２）。このものは、撹拌翼を備えた軸部を上下動することにより、容器内に収容した粉末又は顆粒状飲料と液体飲料とを撹拌して混合するものである。
【０００３】
しかし、特許文献１に係る撹拌容器セットは、従来からあるシェイカーに改良を施したにすぎないもので、混合方式としては新鮮味に欠けるものである。また、特許文献２による飲料混合容器も、従来から存在する撹拌翼を用いた混合容器の改良であり、やはり混合方式として新鮮味に欠けるものである。
【先行技術文献】
【特許文献】
【０００４】
【特許文献１】特開２０００―２３７０６８号公報
【特許文献２】特開２０１１−２５０９７９号公報
【考案の概要】
【考案が解決しようとする課題】
【０００５】
そこで、本考案は、駆動源としての電源を必要とせず、手動による操作で簡単に複数種類の液体を混合することができる斬新な方式による液体混合器を提供することを目的とする。
【課題を解決するための手段】
【０００６】
上記の課題を解決するために、請求項１に係る液体混合器は、ケーシング内に大径の流入口、小径の絞り流路、室及び拡開部を下流に向けて順次同軸に連通形成し、前記室に小径の液体流入路を半径方向外方から連通させ、前記拡開部は下流に向かって次第に大径となる円錐状に形成し、底面を絞り流路と対面する広い面積の衝突壁とし、前記拡開部の底部外周に流出口を形成してなる液体混合装置を設け、前記大径の流入口に液体を圧送する手動ポンプの流出口を連通させたこと、を特徴としている。
請求項２に係る液体混合器は、液体混合装置と手動ポンプとを一体に形成するとともに前記手動ポンプをシリンダーとピストンとからなるものとしたものである。
請求項３に係る液体混合器は、シリンダーの外周に液体混合器本体を沈める位置を示すための目印を設けたものである。
請求項４に係る液体混合器は、液体を飲食用液体としたものである。
【考案の効果】
【０００７】
請求項１に係る液体混合器は、ケーシング内に大径の流入口、小径の絞り流路、室及び拡開部を下流に向けて順次同軸に連通形成し、前記室に小径の液体流入路を半径方向外方から連通させ、前記拡開部は下流に向かって次第に大径となる円錐状に形成し、底面を絞り流路と対面する広い面積の衝突壁とし、前記拡開部の底部外周に流出口を形成してなる液体混合装置を設け、前記大径の流入口に液体を圧送する手動ポンプの流出口を連通させたもので、従来のシェイカーや撹拌翼を用いた混合方式とは全く異なる構成からなる斬新な液体混合器である。
そして、液体混合装置の大径の流入口に液体を圧送するのに手動ポンプを用いているので、駆動源として電源を必要とせず、手動で操作して複数の液体を混合することができる。また、所定の構成からなる液体混合装置を備えているので、均一に混合することができる。
請求項２に係る液体混合器によれば、液体混合装置と手動ポンプとを一体に形成するとともに手動ポンプをシリンダーとピストンとからなるものとしたので、ピストンを引いたり押したりする簡単な操作で液体を混合することができる。また、構造も簡単である。
請求項３に係る液体混合器によれば、シリンダーの外周に液体混合器本体を沈める位置を示すための目印を設けたので、液体混合器をどの程度まで液体内に沈めて操作すればよいのかが一目で分かり、操作が容易となる。
請求項４に係る液体混合器によれば、液体を飲食用液体としたもので、複数の飲食用液体同士の混合に好適である。
【図面の簡単な説明】
【０００８】
【図１】本考案の実施例による液体混合器の断面図である。
【図２】図１のＡ部拡大図である。
【図３】液体混合器の使用方法を示す説明図である。
【図４】他の実施例による液体混合器の断面図である。
【考案を実施するための形態】
【０００９】
以下、本考案の実施例を図面に基づいて具体的に説明する。本考案の実施例による液体混合器１は、液体混合装置２を設け、該液体混合装置２の大径の流入口３にシリンダー４とピストン５とからなる手動ポンプ６の流出口７を連通させ、一体に形成したものである。
【００１０】
液体混合装置２は図２に示すようになっている。ケーシング８内に大径の流入口３、小径の絞り流路９、室１０及び拡開部１１を上から下に向けて順次同軸に連通形成する。室１０は、絞り流路９の下部に段状に大径に形成し、該室１０に小径の液体流入路１２を半径方向外方から連通させる。液体流入路１２の外端部をシリンダー４の下部外周に設けてある（図１）。図１、図２では、液体流入路１２は一方向のみから室１０に連通するものを示したが、複数方向から室１０に連通させるようにしてもよい。
また、液体流入路１２の外端部をシリンダー４の上部外周に設け、該液体流入路１２の外端部を接続管１５を介して他の容器１９に収容した第２の液体１８ｂに接続するようにすることもできる（図４）。
【００１１】
拡開部１１は、室１０の下端から下方に向かって次第に大径となる円錐状に形成し、底面は絞り流路９と対面する広い面積の衝突壁１３とする。衝突壁１３には凹凸部を形成して複数種の液体同士が効率よく混合されるようにしてある。拡開部１１の底部外周に複数の流出口１４を形成し、該流出口１４から拡開部１１内で混合された液体を外部に流出させる。
【００１２】
手動ポンプ６によって大径の流入口３に圧送される第１の液体は、絞り流路９を高速で流通し、室１０で液体流入路１２から第２の液体を取り込みながら拡開部１１の内部で第１の液体と第２の液体とが効率よく混合されることになる。
【００１３】
手動ポンプ６は、液体混合装置２と一体に形成されており、円筒状のシリンダー４（外筒）内にピストン５（内筒）を摺動可能に嵌合したもので、注射器と同様の構造のものである。シリンダー４下端の流出口７を液体混合装置２の流入口３に連通させてある。
シリンダー４の外周には液体混合器１本体を沈める位置を示すための目印１６を周方向に設けてある。
【００１４】
図１に示した液体混合器１の寸法は、外径が２８ｍｍ、ピストン５を押し下げた状態における高さが１１６ｍｍ程度であり、非常にコンパクトである。なお、ここに示した数値は一例であって、これに限定されるものでない。
【００１５】
次に、液体混合器１の使用方法を説明する。先ず、容器１７に混合したい複数種の液体を注ぐ。注いだ液体１８の液面に、液体混合器１を目印１６の位置まで沈め（図３（ａ），（ｂ））、この状態で手動ポンプ６のピストン５を上方に引き上げる（図３（ｃ））。液体は、流出口１４、拡開部１１、絞り流路９、流入口３を逆流してシリンダー４内に注入される。次に、手動ポンプ６のピストン５を押し下げてシリンダー４内に注入された第１の液体を液体混合装置２の流入口３に向けて圧送する（図３（ｄ））。
【００１６】
手動ポンプ６によって圧送された第１の液体は、絞り流路９を高速で流通し、室１０で液体流入路１２から第２の液体を取り込みながら拡開部１１の内部で第１の液体と第２の液体とが効率よく混合され、流出口１４から液体１８内に流出することになる。混合が足りないときは、再度ピストン５を引き上げシリンダー４内に液体を注入し、再びピストン５を押し下げて、第１の液体と第２の液体とを混合させればよい。
【００１７】
このように、本考案による液体混合器１によれば、電源を必要とせず、手動ポンプを操作することにより、手軽で簡単に複数の液体を混合することができる。
【００１８】
本考案による液体混合器１は、液体同士であれば特に限定されず、種々の液体同士の混合に適用可能である。特に、複数種の飲食用液体同士の混合に好適である。例えば、麦焼酎といも焼酎との混合など複数種の酒類の混合、酒類と果汁との混合など水溶液同士の混合、食酢と食用油との混合など水溶液と油との混合、などが挙げられる。また、２種類の液体同士の混合に限らず、３種類以上の液体同士の混合にも適用できる。
【００１９】
図３では、混合する液体同士が共に同種の液体、例えば、水溶液同士の場合で、混合操作の前後において均一な層を形成している状態を示している。また、図１では、第１の液体１８ａが水溶液、第２の液体１８ｂが油の場合で、混合操作の前において２層に分離している状態を示している。本考案による液体混合器１によれば、水溶液に油を混合する場合でも、油の粒子を非常に細かくできるため、水溶液中に油粒子を混合し易くなる。
【００２０】
図ではシリンダー４とピストン５からなる手動ポンプ６について示したが、これに限らず、蛇腹式の手動ポンプ、ゴム球よりなる手動ポンプ、レバー式の手動ポンプでもよい。
【符号の説明】
【００２１】
１  液体混合器
２  液体混合装置
３  流入口
４  シリンダー
５  ピストン
６  手動ポンプ
７  流出口
８  ケーシング
９  絞り流路
１０  室
１１  拡開部
１２  液体流入路
１３  衝突壁
１４  流出口
１５  接続管
１６  目印
１７  容器
１８  液体
１８ａ  第１の液体
１８ｂ  第２の液体
１９  他の容器
【図１】
0003201104.tif 000003
【図２】
0003201104.tif 000004
【図３】
0003201104.tif 000005
【図４】
0003201104.tif 000006